(57)【特許請求の範囲】
【請求項１】
庇とパネル体とを備え、庇は、屋根材支持枠と、屋根材支持枠に着脱自在な屋根材とを有し、パネル体は、躯体に固定してあり、上下枠及び縦枠からなるパネル枠と表示パネルとを有しており、表示パネルは、パネル枠に固定してあり、屋根材支持枠は、パネル枠の上枠に載置してパネル枠の上枠に固定してあることを特徴とする看板。
【請求項２】
庇とパネル体とを備え、庇は、屋根材支持枠と、屋根材支持枠に着脱自在な屋根材とを有し、パネル体は、躯体に固定してあり、上下枠及び縦枠からなるパネル枠と表示パネルとを有しており、表示パネルは、パネル枠に固定してあり、屋根材支持枠は、躯体側端部に下方に開口する凹部を有し、凹部にパネル枠の上枠を呑み込ませてあるとともに、パネル枠の上枠に載置してパネル枠の上枠に固定してあることを特徴とする看板。
【発明の詳細な説明】
【技術分野】
【０００１】
本発明は、照明を有する看板に関するものである。
【背景技術】
【０００２】
この種の看板は、壁面や支柱の屋外側に固定されたパネル体の上側に、パネル体の表示パネルよりも前面に突出した庇を固定し、その庇に内蔵するＬＥＤや蛍光管等の照明装置から表示パネルを照らすことで使用されるものであった。
【先行技術文献】
【特許文献】
【０００３】
実用新案登録第３１６２３０４号公報
【発明の概要】
【発明が解決しようとする課題】
【０００４】
上記したような従来の看板は、庇と表示パネルが別々のものであったことから、施工時には庇と表示パネルを個々に取り付けるため施工性が悪く、また、施工者により取付位置の誤差や製品のばらつきが出やすくなるとともに、看板の外観意匠性が悪くなる問題点があった。本発明は、上記課題を鑑みてなされたものであり、意匠性が高く施工性も良い看板を提供することにある。
【課題を解決するための手段】
【０００５】
本発明のうち請求項１記載の発明は、庇とパネル体とを備え、庇は、屋根材支持枠と、屋根材支持枠に着脱自在な屋根材とを有し、パネル体は、躯体に固定してあり、上下枠及び縦枠からなるパネル枠と表示パネルとを有しており、表示パネルは、パネル枠に固定してあり、屋根材支持枠は、パネル枠の上枠に載置してパネル枠の上枠に固定してあることを特徴とする。
【０００６】
本発明のうち請求項２記載の発明は、庇とパネル体とを備え、庇は、屋根材支持枠と、屋根材支持枠に着脱自在な屋根材とを有し、パネル体は、躯体に固定してあり、上下枠及び縦枠からなるパネル枠と表示パネルとを有しており、表示パネルは、パネル枠に固定してあり、屋根材支持枠は、躯体側端部に下方に開口する凹部を有し、凹部にパネル枠の上枠を呑み込ませてあるとともに、パネル枠の上枠に載置してパネル枠の上枠に固定してあることを特徴とする。
【発明の効果】
【０００７】
本発明の請求項１記載の発明によれば、庇と表示パネルが一体型になっていることから、施工性がよく、設計段階で庇と表示パネルの寸法や意匠が対応していることにより、製品のばらつきがなく意匠性の高い看板を提供できる。さらに、屋根材支持枠がパネル体の上枠に載置して固定してあることにより、庇がパネル体から強固に支持される。
【０００８】
本発明の請求項２記載の発明によれば、庇と表示パネルが一体型になっていることから、施工性がよく、設計段階で庇と表示パネルの寸法や意匠が対応していることにより、製品のばらつきがなく意匠性の高い看板を提供できる。さらに、庇の屋根枠支持体の凹部に、パネル体の上枠を呑み込ませ、屋根材支持枠がパネル体のパネル枠の上枠に載置して固定してあることにより、庇がパネル体に安定した状態で固定される。
【図面の簡単な説明】
【０００９】
【図１】（ａ）は、図５のＦ−Ｆ線断面図であり、（ｂ）は、（ａ）中Ａを拡大して庇とパネル枠の取付状態を示す縦断面図である。
【図２】本実施による看板のパネル枠を示すものであり、（ａ）は、正面図、（ｂ）は、Ｂ−Ｂ線断面図であり、（ｃ）は、（ｂ）中Ｃを拡大して示す横断面図であり、（ｄ）は、（ｂ）中Ｄを拡大して示す横断面図である。
【図３】（ａ）は、パネル体の背面図であり、（ｂ）は、（ａ）中Ｅパネル枠の下枠と縦枠の取付状態を示す斜視図である。
【図４】（ａ）〜（ｃ）は、本実施による看板の施工手順を示すものであり、（ａ）（ｂ）は簡略化した縦断面図、（ｃ）は、斜視図である。
【図５】本実施による看板の全体を示す斜視図である。
【図６】本発明の他の実施形態を示す図７（ａ）中Ｇ−Ｇ線断面図である。
【図７】本実施による看板を示す（ａ）は全体の正面図であり、（ｂ）は、（ａ）中Ｈを拡大して示す正面図であり、（ｃ）は、パネル体下部の縦断面図である。
【発明を実施するための形態】
【００１０】
以下に、図面に基づいて本実施による看板の実施の形態を説明する。
本実施による看板は、図１（ａ）と図５のように、庇１とパネル体２から構成するものであり、庇１とパネル体２は、ネジ２３により固定してある。庇１は、屋根材３と屋根材支持枠４とからなり、屋根材３は、屋外側に向かうに従って下方に傾斜する半円弧状をなすものであり、屋外側先端部には、ＬＥＤ照明枠５を片持ちして支持する挟持部６が設けてあり、また、屋内側端部には、屋根材３を屋根材支持枠４にネジ止め固定するネジ止め部７が設けてある。屋根材支持枠４は、図１（ｂ）のように、屋外側にＬＥＤ照明枠５と電源部８を支持する略水平な水平壁４ａと、水平壁４ａの屋外側端部から上方に略垂直に延びる垂直壁４ｂと、垂直壁４ｂの上端部から躯体９側に向けて略水平に延びる天壁４ｃと、天壁４ｃの躯体９側端部から上方に略垂直に延びる立ち上がり壁４ｄとから段状に形成するものであり、そのうちの垂直壁４ｂと天壁４ｃによりパネル体２の上枠１２を呑み込む凹部３１を構成している。また、垂直壁４ｂの中間部やや上側には躯体９側に向けて突出した係止部１０を有しており、さらに、立ち上がり壁４ｄの上端部には、屋外側に開放したネジ穴部１１を有しており、屋根材３のネジ止め部７と嵌合するともに、ネジ止め部７とネジ穴部１１は、ネジ２２によりネジ止めしてある。
【００１１】
パネル体２は、図２（ａ）のように、四周を囲むパネル枠（上枠１２、下枠１３、縦枠１４）と、表示パネル１５と、押縁１６，２４とからなっており、パネル枠（上枠１２、下枠１３、縦枠１４）は、図１（ｂ）のように、断面略矩形状をなし、屋外側と内周側と外周側の三方に溝１７を有するとともに、外周側には屋外側と躯体側に被係止部１８ａをそれぞれ突出し且つ外周側が略水平に形成された張出壁１８が設けてある。また、上枠１２、下枠１３、縦枠１４、後述する補強材１４ａのすべてに共通形状のものが使用されている。表示パネル１５は、パネル枠（上枠１２、下枠１３、縦枠１４）に対応した略矩形状をなし、その屋外側面に広告や案内などの文字や図柄などの情報が印刷してある。押縁１６，２４は、図１と図２（ｄ）のように、表示パネル１５をパネル枠（上枠１２、下枠１３、縦枠１４）に保持するものであり、略Ｌ字状をなし、Ｌ字の一片１６ａ，２４ａをパネル枠（上枠１２、下枠１３、縦枠１４）にネジ２５，３２で固定するとともに、他片１６ｂ，２４ｂで表示パネル１５を押さえるものである。また、パネル体２の上枠１２と下枠１３と縦枠１４の枠組みについては、図３（ａ）（ｂ）のように、各々が付き合わさるコーナー部の躯体側に金属板からなるアングル１９，２６を用いて固定される。このアングル１９，２６には、ネジ孔２０が設けてあり、アングル１９，２６を上枠１２と縦枠１４、下枠１３と縦枠１４に跨る状態で各々配置するとともに、上枠１２と下枠１３と縦枠１４の各溝１７とネジ孔２０にネジ２１を挿入してネジ止めすることにより、パネル枠（上枠１２、下枠１３、縦枠１４）を枠組みするものである。さらに、パネル体２と躯体９の取り付けは、躯体９に打ち込んであるアンカー２８のネジ部を縦枠１４に固定したＬ字アングル３３に挿通し、そのネジ部をナット３４で締めて固定するものである。また、パネル枠（上枠１２、下枠１３、縦枠１４）は、すべて共通形状をなすものが使用されることから、部品種が少なくなって省コスト化が図れる。さらに、パネル枠（上枠１２、下枠１３、縦枠１４、補強材１４ａ）に溝１７が設けてあることにより、その溝１７の適宜な箇所にアングル１９，２６やＬ字アングル３３、その他金具類を自由に取り付けできることから施工性が高くなる。尚、符号１４ａは、補強材であり、この補強材についてもパネル枠（上枠１２、下枠１３、縦枠１４）と共通した形状をなすものが使用されている。
【００１２】
上記のように構成する看板の施工手順は、第一の手順として図４（ａ）のように、躯体９に打ち込んだアンカー２８に、庇１の屋根材支持枠４のみを取り付けたパネル体２を固定する。第二の手順として図４（ｂ）のように、屋根材３を屋根材支持枠４に載置し、そのときに嵌合するネジ止め部７とネジ穴部１１をネジ２２でネジ止めする。図４（ｃ）のように、庇１と上枠１２、また、下枠１３と押縁１６の間の間隙に、表示パネル１５を差し入れてスライドし、各々で表示パネル１５を位置決めして庇１の両側をカバー２７で塞ぐとともに、パネル体２の両側（縦枠１４外周部）を押縁２４で塞ぐことにより、本実施による看板の躯体への取り付けが完了する。
【００１３】
上記の施工手順を経て形成された本実施による看板は、庇１の屋根枠支持体４の凹部３１に、パネル体２の上枠１２を呑み込ませることにより、屋根材支持枠４の天壁４ｃがパネル体２のパネル枠（上枠１２、下枠１３、縦枠１４）の上枠１２に載置するとともに、垂直壁４ｂが上枠１２の屋外側と重合する。これにより、パネル体２が庇１の垂直荷重を受けるとともに、庇１の躯体側部分がパネル体２と重合することにより、荷重で垂れ下がろうとする庇１をパネル体２の上枠１２の屋外側面で受けるので、庇１がパネル体２の上枠１２にしっかりと取り付けできる。さらに、垂直壁４ｂの係止部１０と上枠１２の被係止部１８ａが係止することにより、風圧や他物との接触などで庇１がパネル体２から持ち上がろうとするときに、これを抑えることができるので、庇１とパネル体２の取付状態がより強固となる。また、設計段階で庇１と表示パネル１５の寸法や意匠が対応していることにより、製品のばらつきがなく、庇１とパネル体２が隙間なく取り付けられるので、庇１とパネル体２の統一感が生まれ、看板の外観意匠性も向上する。また、パネル体２は、寸法が大きくなってもパネル枠（上枠１２、下枠１３、縦枠１４）に溝１７が設けてあることから、縦横の補強材の本数を増やして上枠１２と下枠１３、あるいは縦枠１４間の適宜な箇所に取り付けることができる。さらに、屋根材支持枠４から屋根材３を着脱できることから、屋根材３を取り外せば、屋根材支持枠４に取り付けられたＬＥＤ照明枠５や電源部８が露出するので、これらの交換が簡単に行えるとともに、屋根材３を取り外した状態で看板を躯体９に取り付けできることから、作業時に屋根材３を傷付けることがないので、取付作業が容易に行える。
【００１４】
本発明の他の実施形態として図６のように、庇１とパネル体２から構成するものであり、庇１とパネル体２は、ネジ２３により固定してある。そして、上記実施形態と相違する構成として、パネル体２は、表示パネル１５の上端部を上枠１２の正面側にネジ３５で固定してあり、さらに、図１（ａ）と図２（ｄ）のように、表示パネル１５の左右側端部と下端部を縦枠１４と下枠１３に対して押縁１６，２４で固定してある。そのパネル体２の上枠１２を庇１の屋根枠支持体４の凹部３１に呑み込ませ、屋根材支持枠４の天壁４ｃをパネル体２の上枠１２に載置し、さらに、天壁４ｃと上枠１２をネジ２３で固定したものである。このように形成すると、庇１とパネル体２が一体的に構成されるので、看板の外観意匠性が好適なものとなり、さらに、庇１をパネル体２に載置した状態でネジ２３により固定するので、庇１がパネル体２に安定した状態で固定される。また、本実施の看板に使用されるコーナー金具１９は、図７（ａ）（ｂ）のように、板状をなすとともに、パネル体２の躯体９側に取り付けてあり、その板状の中央部が躯体９側に彎曲変形して躯体当接部１９ａを形成している。そして、パネル体２を躯体９に取り付けたとき、図７（ｃ）のように、コーナー金具９の躯体当接部１９ａが躯体９に当接する。このようにすると、パネル体１２と躯体９との間に生じた隙間が埋められるので、パネル体２を躯体９に安定した状態で取り付けることができる。
【００１５】
上記各実施形態では、本発明の看板を躯体９として壁部に取り付けるものを挙げたが、支柱や横桟に取り付けるものでもよい。また、庇１の屋根材３の形状やパネル体２の大きさについても上記実施形態のものに限らず、様々なものに対応できる。
【符号の説明】
【００１６】
１  庇
２  パネル体
３  屋根材
４  屋根材支持枠
１２  上枠（パネル枠）
１３  下枠（パネル枠）
１４  縦枠（パネル枠）
１５  表示パネル
１６，２４  押縁
【図１】
0006029894.tif 000002
【図２】
0006029894.tif 000003
【図３】
0006029894.tif 000004
【図４】
0006029894.tif 000005
【図５】
0006029894.tif 000006
【図６】
0006029894.tif 000007
【図７】
0006029894.tif 000008